(57)【特許請求の範囲】
【請求項１】
車両に搭載され、当該車両の操作対象の動作内容を表示する表示盤が乗員に視認可能に設けられた車両用表示装置であって、
円形をなした前記表示盤の中央を基準として所定角度に盤面を分割する複数の表示領域と、
円形の前記表示盤のリング状の外周を回動自在に設けた操作用のダイヤルノブと、
前記ダイヤルノブの回動と連動して、前記表示盤の中央を回動中心として可動する指針と、
前記指針が配置された前記表示領域に設けられて、回動する前記指針によって動作内容を指し示す指標部と、
を備え、
前記複数の表示領域は、
前記指標部に対応する前記指針を第１の指針として、その指針が指示することによって操作対象の第１動作内容を表示する第１表示領域と、
前記第１の指針とは異なる第２の指針による指示又は／及び指針による指示以外の方法によって前記操作対象の第２動作内容を表示する第２表示領域と、
が形成されていることを特徴とする車両用表示装置。
【請求項２】
前記第１表示領域と第２表示領域とは互いに隣接して設けられることを特徴とする請求項１に記載の車両用表示装置。
【請求項３】
前記第１表示領域は前記表示盤の上半部に形成され、前記第２表示領域は前記表示盤の下半部に形成されていることを特徴とする請求項１又は２に記載の車両用表示装置。
【請求項４】
前記指針は、前記表示盤を不動状態で収容し、かつ前記指針の回動軸線周りに回動自在なケース体に連結されていて、前記ケース体を回動させたときに一体に回動されることを特徴とする請求項１ないし３のいずれか１項に記載の車両用表示装置。
【請求項５】
前記複数の指標部は、前記指針の回動軸心を中心とする同心円上に所定の角度間隔をもって配置されていることを特徴とする請求項１ないし４のいずれか１項に記載の車両用表示装置。
【請求項６】
前記第２表示領域は、液晶パネルによって形成されていることを特徴とする請求項１ないし５のいずれか１項に記載の車両用表示装置。
【請求項７】
前記第１表示領域によって表示される第１動作内容は車両のエアコンの風量であり、前記第２表示領域によって表示される第２動作内容は車両のエアコンの設定温度であることを特徴とする請求項１ないし６のいずれか１項に記載の車両用表示装置。
【請求項８】
前記第１表示領域と第２表示領域を含む複数の表示領域が前記第１の指針の回動中心を共通の中心として所定の中心角で区切られ、かつそれら第１表示領域及び第２表示領域を含む複数の表示領域が前記第１の指針の回動中心を中心として回動可能なダイアルノブの正面端面の視認領域に収まるように集約されたことを特徴とする請求項１ないし７のいずれか１項に記載の車両用表示装置。
【発明の詳細な説明】
【技術分野】
【０００１】
本発明は、例えば車両のエアコンパネルに取り付けられる車両用表示装置（以下、単に表示装置と記載する）に関するものである。
【背景技術】
【０００２】
車両のエアコンパネルには、風量、使用形態（モード）、設定温度の各情報を表示する各表示装置が取り付けられている。従来の表示装置として、液晶ディスプレイ（ＬＣＤ，Liquid Crystal Display）や蛍光表示管（ＶＦＤ，Vacuum Fluorescent Display）に数字（例えば、エアコンの設定温度）やイラスト（例えば、エアコンのモード）を表示することにより、これらの情報を運転者に直接的に視認させるものが存している（例えば、特許文献１を参照）。
【０００３】
近時では、上記したような直接的な表示方式よりも、すべての情報を表示した上で、運転者に必要な情報を選択させるという直感的な表示方式が好まれるようになっている。この種のエアコンパネルとして、特許文献２に開示されたものが存している。特許文献２に開示された技術では、エアコンの風量、使用形態（モード）、設定温度のそれぞれを指針で表示している。しかし、エアコンの各状態に対してそれぞれ表示装置を設けているため、エアコンパネルが大きくなってしまうという問題が生じている。
【０００４】
これを解消するため、図１５に示されるように、エアコンの風量を表示盤５１に指針５２で示す（この場合、風量が「２」に設定されている）とともに、エアコンの設定温度を、表示盤５１とは別の領域に設けられた表示器５３に数字で表示する（この場合、２４．５℃に設定されている）表示装置１００’も存している。
【０００５】
しかし、表示盤５１と表示器５３とを備えているため、エアコンパネルをそれほど小さくすることは困難である。図１５において、表示盤５１と表示器５３とが設けられたときに、それらの取付けスペースＳ’を二点差線で示す。特に、運転席側と助手席側とで別個にエアコンが搭載されて、それぞれのエアコンに対する表示盤５１と表示器５３とが設けられた表示装置の場合、それらの取付けスペースＳ’は更に大きくなってしまう。
【０００６】
近時の車両では、エアコンパネルが取り付けられるインストルメントパネルの中央部にカーナビゲーションシステムのディスプレイが取り付けられている場合がある。しかも、このディスプレイが年々大型化し、かつ操作スイッチの数が増加しているため、エアコンパネルの小型化が要求されている。このため、エアコンパネルでは、ユーザーニーズ（良好な操作性、表示の見易さ等）と搭載上のニーズ（取付けスペースの確保）との双方を満たすことが困難になりつつあるという問題が生じている。
【特許文献１】特開２００５−２４７２４４号公報
【特許文献２】特開２００６−２３４６２８号公報
【発明の開示】
【発明が解決しようとする課題】
【０００７】
本発明は、上記した事情に鑑み、車両用表示装置において、ユーザーニーズ（良好な操作性、表示の見易さ等）を損なうことなく、搭載上のニーズ（取付けスペースの確保）を満足させることを課題としている。
【課題を解決するための手段及び発明の効果】
【０００８】
上記した課題を解決するための本発明は、
車両に搭載され、当該車両の操作対象の動作内容を表示する表示盤が乗員に視認可能に設けられた車両用表示装置であって、
円形をなした前記表示盤の中央を基準として所定角度に盤面を分割する複数の表示領域と、円形の前記表示盤のリング状の外周を回動自在に設けた操作用のダイヤルノブと、前記ダイヤルノブの回動と連動して、前記表示盤の中央を回動中心として可動する指針と、前記指針が配置された前記表示領域に設けられて、回動する前記指針によって動作内容を指し示す指標部と、を備え、
前記複数の表示領域は、前記指標部に対応する前記指針を第１の指針として、その指針が指示することによって操作対象の第１動作内容を表示する第１表示領域と、前記第１の指針とは異なる第２の指針による指示又は／及び指針による指示以外の方法によって前記操作対象の第２動作内容を表示する第２表示領域とが形成されていることを特徴としている。
【０００９】
本発明に係る車両用表示装置は上記したように構成されていて、表示盤に操作対象の第１動作内容を指針表示する第１表示領域と、同じく第２動作内容を表示する第２表示領域とが形成されている。車両の乗員は、第１表示領域の第１の指針を視認することにより、操作対象の第１動作内容を直感的に知覚できる。また、操作対象の第２動作内容も同一の表示盤内に表示される。この第２動作内容は、第１の指針とは異なる第２の指針による指示又は／及び指針による指示以外の方法によって表示される。このため、第２動作内容が表示盤の外部に表示されている従来の表示装置と比較して、表示装置の取付けスペースを小さくすることができる。特に、この表示装置が運転席側と助手席側にそれぞれ独立して取り付けられる場合、それらの取付けスペースは更に小さくて済む。
【００１０】
前記第１表示領域と第２表示領域とを互いに隣接して設けてもよい。例えば、前記第１表示領域を前記表示盤の上半部に形成し、前記第２表示領域を前記表示盤の下半部に形成してもよい。
【００１１】
前記指針は、前記表示盤を不動状態で収容し、かつ前記指針の回動軸線周りに回動自在なケース体に連結されていて、前記ケース体を回動させたときに一体に回動されるようにできる。
【００１２】
また、前記指針は、前記表示盤を不動状態で収容し、かつ前記指針の回動軸線周りに回動自在なケース体に連結されていて、前記ケース体を回動させたときに一体に回動されるようにできる。そして、前記複数の指標部は、前記指針の回動軸心を中心とする同心円上に所定の角度間隔をもって配置されている。
【００１３】
乗員が指針を調整するとき、ケース体を回動させるだけで済む。これにより、指針の調整作業が容易である。
【００１４】
前記第２表示領域は、液晶パネルによって形成することができる。
【００１５】
これにより、第２表示領域に数値だけでなく、イラストを表示させることが容易にできる。
【００１６】
前記第１表示領域によって表示される第１動作内容は車両のエアコンの風量であり、前記第２表示領域によって表示される第２動作内容は車両のエアコンの設定温度とすることができる。
【００１７】
そして、前記第１の指針及び第２の指針を回動する指針軸を、１つの軸から成るようにしてもよい。
【００１８】
これにより、複数の指針による指示領域を、少ないスペースで実現できる。
【発明を実施するための最良の形態】
【００１９】
本発明の実施例について説明する。図１は本発明の第１実施例の車両用表示装置１０１の正面図、図２は図１の断面図、図３は第２実施例の車両用表示装置１０２の正面図である。
【実施例１】
【００２０】
本発明の第１実施例の車両用表示装置１０１は、例えば車両のエアコンパネルに取り付けられて、エアコンの状態（風量、使用形態（モード）、設定温度）を表示する装置である。そして、第１実施例の車両用表示装置１０１は、エアコンの風量と設定温度とを同時に表示するものである。図１及び図２に示されるように、第１実施例の車両用表示装置１０１は、円筒状のケース体（ダイアルノブ１）と、該ダイアルノブ１に収容される表示盤としての文字盤２、同じく液晶パネル３及び指針４等を備えている。ダイアルノブ１は、車両の乗員（例えば、運転者）の手に把持され、所定方向に回動自在である。
【００２１】
ダイアルノブ１の正面部（図２の図面視における右側の部分で、運転者に視認される側の面）は開口されている。この開口は、透明カバー５によって閉塞されている。これにより、運転者がダイアルノブ１内の文字盤２や指針４を視認可能である。ダイアルノブ１には半円形状の文字盤２と、半円形状の液晶パネル３とが不動状態で収容されている。文字盤２の表面の周縁部には、エアコンの風量を示す複数個（本実施例の場合、６個）の数値６が設けられている。第１実施例の車両用表示装置１０１の場合、正面視における文字盤２の左端部から順に、「０」、「２」、「４」、「６」、「８」、「１０」の各数値６が等角度間隔で設けられている。また、液晶パネル３には、所定の数値（本実施例の場合、エアコンの設定温度で、例えば２４．５℃）が表示される。
【００２２】
文字盤２と液晶パネル３の厚みと半径は、ほぼ同一である。そして、文字盤２と液晶パネル３とが組み合わされて円板形状の１つの表示盤を形成した状態でダイアルノブ１に不動状態で収容される。このため、表示盤の外径は、ダイアルノブ１の内径よりも少し小さい。以降、表示盤において、操作対象（この場合、エアコン）の第１動作内容（この場合、風量）を文字盤２と指針４とによって表示する領域を「第１表示領域Ａ１」と記載し、エアコンの第２動作内容（この場合、設定温度）を液晶パネル３に表示する領域を「第２表示領域Ａ２」と記載する。
【００２３】
ダイアルノブ１の背面部には、ステッピングモータ７が取り付けられている。ステッピグモータ７は、そのモータ軸８の軸線９をダイアルノブ１の軸線と合致させて取り付けられている。そして、表示盤（文字盤２と液晶パネル３）の中心部分には、ステッピングモータ７のモータ軸８を貫通させるための貫通孔１１が設けられていて、ステッピングモータ７のモータ軸８の先端部が、表示盤の表面から突出している。モータ軸８の先端部には、指針４がモータ軸８の軸線９に直交して連結されている。この指針４は、正面視において細長い三角形状であり、ステッピングモータ７のモータ軸８と一体に回動する。また、ダイアルノブ１は、図示しない連結手段によりステッピングモータ７のモータ軸８と連結されている。このため、運転者がダイアルノブ１を所定方向に回動させることにより、指針４を同方向に回動させることができる。また、そのときの回動角度がステッピングモータ７に検知され、その信号が制御部（図示せず）に送られる。
【００２４】
文字盤２の背面側にはプリズム１２が取り付けられていて、更にその背面側には光源（本実施例の場合、ＬＥＤ１３）が取り付けられている。また、液晶パネル３の背面側にはリフレクタ１４が取り付けられていて、更にその背面側には光源（本実施例の場合、ＬＥＤ１５）が取り付けられている。各ＬＥＤ１３，１５を発光させることにより、文字盤２（第１表示領域Ａ１）の各数値６と、液晶パネル３（第２表示領域Ａ２）の数値（本実施例の場合、エアコンの設定温度）を明確に表示させることができる。
【００２５】
第１実施例の車両用表示装置１０１の作用を説明する。運転者がエアコンの風量を設定する場合、次のようにして操作する。運転者がダイアルノブ１を把持して、ダイアルノブ１を所定方向に回動させる。すると、ステッピングモータ７のモータ軸８がダイアルノブ１と一体に回動し、同時に指針４も同方向に回動する。これにより、運転者はエアコンの風量を所定の数値にセットすることができる。例えば図１では、風量が「２」に設定されている。運転者は、文字盤２（第１表示領域Ａ１）において、指針４の先端部が指示する数値６を視認することにより、現在の風量（「２」）を知ることができる。このとき、運転者は、数値６の最小値（「０」）と最大値（「１０」）を同時に視認できるため、現在の風量がどれくらいのレベルなのかを直感的に知ることができる。
【００２６】
そして、このときのダイアルノブ１の回動角度（指針４の回動角度でもある）がステッピングモータ７に検知され、電気信号に変換されて制御部（図示せず）に送られる。運転者が容易にダイアルノブ１を回動できるように、ダイアルノブ１の外周面に滑り止め用のローレット目や指掛け部（図示せず）を設けてもよい。
【００２７】
また、エアコンの設定温度は、図示しない別のスイッチにより設定される。図１に示される場合は、エアコンの温度が「２４．５℃」に設定されている。エアコンの設定温度は、表示盤の下半部に設けられた液晶パネル３（第２表示領域Ａ２）に表示される。
【００２８】
本実施例の車両用表示装置１０１では、運転者がダイアルノブ１を回動させることにより、エアコンの風量を自在に設定することができる。そして、そのときの設定値は、表示盤の上半部に配置された文字盤２（第１表示領域Ａ１）に設けられた指針４の先端部が指示する数値６により、運転者に視認される。また、エアコンの設定温度は、表示盤の下半部に配置された液晶パネル３（第２表示領域Ａ２）に数値表示されて、運転者に視認される。即ち、１つの車両用表示装置１０１により、エアコンの風量と設定温度とが同時に表示されるため、従来の車両用表示装置１００’と比較して、車両用表示装置１０１が占有する取付けスペースＳが小さくて済む。しかも、運転者による視認性を悪化させることもない。図１において、第１実施例の車両用表示装置１０１が占有する取付けスペースＳを二点鎖線で示す。
【００２９】
特に、運転席用の車両用表示装置１０１と、助手席用の車両用表示装置１０１とをインストルメントパネルに取り付ける場合、その取付けスペースは、従来のものと比較して更に小さくて済む。
【実施例２】
【００３０】
次に、第２実施例の車両用表示装置１０２について説明する。前述した第１実施例の車両用表示装置１０１は、文字盤２（表示盤の第１表示領域Ａ１）にエアコンの風量を指針４で表示し、液晶パネル３（第２表示領域Ａ２）にエアコンの設定温度を数値表示するものである。しかし、文字盤２（第２表示領域Ａ２）に、エアコンの風量以外の動作内容を表示してもよい。例えば、図３に示される第２実施例の車両用表示装置１０２では、文字盤２（第１表示領域Ａ１）に風量を表示し、液晶パネル３（第２表示領域Ａ２）にエアコンのモードをイラストで表示させる場合である。
【実施例３】
【００３１】
次に、第３実施例の車両用表示装置１０３について説明する。図４の（ａ），（ｂ）に示されるように、この実施例の車両用表示装置１０３では、第１及び第２の表示領域Ａ１，Ａ２の双方に指針４ａ，４ｂが設けられている。各指針４ａ，４ｂは、２軸のステッピングモータ７のモータ軸８に取り付けられていて、独立して調整可能である。この実施例の車両用表示装置Ａ３では、第２表示領域Ａ２にエアコンの設定温度を指針４ｂで表示しているとともに、第２表示領域Ａ２の液晶パネル３にエアコンの設定温度（例えば、２４．５℃）を表示している。
【実施例４】
【００３２】
図５の（ａ），（ｂ）に示される第４実施例の車両用表示装置１０４は、第１実施例の車両用表示装置１０１の第１及び第２の表示領域Ａ１，Ａ２を液晶パネル１６（例えば、ＴＦＴ液晶パネル）によって表示したものである。この実施例の車両用表示装置１０４は、指針４、エアコンの風量を示す数値６及び設定温度を液晶表示している。第４実施例の車両用表示装置Ａ４は、ケース体１７に液晶パネル１６と基板１８を内装させるだけで済むため、ケース体１７の厚みを極めて薄くすることができる。
【実施例５】
【００３３】
図６に示される第５実施例の車両用表示装置１０５のように、第１表示領域Ａ１にエアコンの風量を指針４ａで表示し、第２表示領域Ａ２にエアコンの使用形態（モード）を指針４ｂで表示してもよい。
【実施例６】
【００３４】
図７に示される第６実施例の車両用表示装置１０６のように、文字盤２に３つの表示領域Ａ１〜Ａ３を形成するとともに、３軸のステッピングモータ７のモータ軸８に３つの指針４ａ〜４ｃを取り付ける。そして、文字盤２の各表示領域Ａ１〜Ａ３に、エアコンの風量、使用形態（モード）、設定温度を各指針４ａ〜４ｃで表示してもよい。
【実施例７】
【００３５】
図８に示される第７実施例の車両用表示装置１０７のように、文字盤２に３つの表示領域Ａ１〜Ａ３を形成し、第１表示領域Ａ１にエアコンの風量を指針４で表示し、第２及び第３の表示領域Ａ２，Ａ３にエアコンの使用形態（モード）と設定温度を液晶表示してもよい。
【実施例８】
【００３６】
図９に示される第８実施例の車両用表示装置１０８のように、文字盤２に３つの表示領域Ａ１〜Ａ３を形成し、第１及び第２の表示領域Ａ１，Ａ２にエアコンの風量と使用形態（モード）を各指針４ａ，４ｂで表示し、第３表示領域Ａ３にエアコンの設定温度を液晶表示してもよい。
【実施例９】
【００３７】
図１０に示される第９実施例の車両用表示装置１０９のように、文字盤２に３つの表示領域Ａ１〜Ａ３を形成し、第１ないし第３の表示領域Ａ１〜Ａ３にエアコンの風量、使用形態（モード）、設定温度を各指針４ａ〜４ｃで表示するとともに、第１及び第３の表示領域Ａ１，Ａ３にエアコンの風量と設定温度を液晶表示してもよい。なお、第１及び第３の表示領域Ａ１，Ａ３に液晶表示するのは、いずれか一方だけであってもよい。
【実施例１０】
【００３８】
図１１に示される第１０実施例の車両用表示装置１１０のように、２つの文字盤２ａ，２ｂに各表示領域Ａ１，Ａ２を形成し、第１表示領域Ａ１にエアコンの風量を指針４ａで表示し、第２表示領域Ａ２にエアコンの設定温度を指針４ｂで表示してもよい。
【実施例１１】
【００３９】
図１２に示される第１１実施例の車両用表示装置１１１のように、第１０実施例の車両用表示装置１１０の第１及び第２の表示領域Ａ１，Ａ２の周囲に第３表示領域Ａ３を形成し、この第３表示領域Ａ３にエアコンの使用形態（モード）を液晶表示してもよい。
【実施例１２】
【００４０】
図１３に示される第１２実施例の車両用表示装置１１２のように、３つの文字盤２ａ〜２ｃに各表示領域Ａ１〜Ａ３を形成し、第１表示領域Ａ１にエアコンの風量を指針４ａで表示し、第２表示領域Ａ２にエアコンの使用形態（モード）を指針４ｂで表示し、第３表示領域Ａ３にエアコンの設定温度を指針４ｃで表示してもよい。
【実施例１３】
【００４１】
図１４に示される第１３実施例の車両用表示装置１１３のように、３つの文字盤２ａ〜２ｃに各表示領域Ａ１〜Ａ３を形成し、第１表示領域Ａ１に更に形成した文字盤２ａ’の表示領域Ａ１’にエアコンの使用形態（モード）を指針４ａで表示するとともに、第２表示領域Ａ２にエアコンの風量を指針４ｂで表示し、第３表示領域Ａ３にエアコンの設定温度を指針４ｃで表示してもよい。
【００４２】
上記した第１ないし第１３の実施例の車両用表示装置１０１〜１１３では、第１及び第２の表示領域Ａ１，Ａ２（又は第１及びないし第３の表示領域Ａ１〜Ａ３）に表示される操作対象はいずれも同一（実施例の場合、エアコン）のものであるが、異なる操作対象の動作内容を表示してもよい。特に、２つ（又は３つ）の動作内容が１つの表示盤に表示されるため、関連する操作対象であることが望ましい。また、操作対象としてはエアコン以外であってもよく、例えば、地図画面を表示するためのマップコマンドや各種メニューを表示するためのメニューコマンドなどのナビゲーション装置に係る操作、インターネットやメールを表示する操作、ＣＤ、ＨＤＤ、ＵＳＢなどに収録されたコンテンツを再生するコマンドなどのオーディオ機器に係る操作などを操作対象としてもよい。
【図面の簡単な説明】
【００４３】
【図１】本発明の第１実施例の車両用表示装置１０１の正面図である。
【図２】図１の断面図である。
【図３】第２実施例の車両用表示装置１０２の正面図である。
【図４】（ａ）は第３実施例の車両用表示装置１０３の正面図、（ｂ）は同じく断面図である。
【図５】（ａ）は第４実施例の車両用表示装置１０４の正面図、（ｂ）は同じく断面図である。
【図６】第５実施例の車両用表示装置１０５の正面図である。
【図７】第６実施例の車両用表示装置１０６の正面図である。
【図８】第７実施例の車両用表示装置１０７の正面図である。
【図９】第８実施例の車両用表示装置１０８の正面図である。
【図１０】第９実施例の車両用表示装置１０９の正面図である。
【図１１】第１０実施例の車両用表示装置１１０の正面図である。
【図１２】第１１実施例の車両用表示装置１１１の正面図である。
【図１３】第１２実施例の車両用表示装置１１２の正面図である。
【図１４】第１３実施例の車両用表示装置１１３の正面図である。
【図１５】従来の車両用表示装置１００’の正面図である。
【符号の説明】
【００４４】
１０１〜１１３  車両用表示装置
１  ダイアルノブ（ケース体）
２  文字盤（表示盤）
３，１６  液晶パネル（表示盤）
４，４ａ〜４ｃ  指針
６  数値（指標部）
８  モータ軸（指針軸）
９  軸線（回動軸線）
１７  ケース体
Ａ１  第１表示領域
Ａ２  第２表示領域
【図１】
0005170832.tif 000002
【図２】
0005170832.tif 000003
【図３】
0005170832.tif 000004
【図４】
0005170832.tif 000005
【図５】
0005170832.tif 000006
【図６】
0005170832.tif 000007
【図７】
0005170832.tif 000008
【図８】
0005170832.tif 000009
【図９】
0005170832.tif 000010
【図１０】
0005170832.tif 000011
【図１１】
0005170832.tif 000012
【図１２】
0005170832.tif 000013
【図１３】
0005170832.tif 000014
【図１４】
0005170832.tif 000015
【図１５】
0005170832.tif 000016